(57)【要約】【課題】例えばビル等の建築物の外壁面や塀などの壁面を緑化する場合などに適用する壁面緑化構造、特に壁材として軽量気泡コンクリート（以下ＡＬＣという）パネルを用いた壁面の緑化構造に係り、緑化パネルの脱落のおそれがなく、かつＡＬＣパネルの耐震性と耐久性とを維持することが可能な壁面緑化構造を提供する。【解決手段】壁材として用いたＡＬＣパネル１の外表面に所定の間隔をおいて略平行かつ一体的に緑化パネル１０を設けたことを特徴とする。具体的には、例えばＡＬＣパネル１内に、該パネルの補強用鉄筋２と一体的に緑化パネル取付用アンカー３ａを埋設させて設け、その緑化パネル取付用アンカーに間隔保持部材１５を介して前記の緑化パネルを取付ける。上記の緑化パネル取付用アンカーは、ＡＬＣパネルを建築物の梁等に取付けるための埋込アンカー３を屋外側に延長することによって、それと一体に設けることもできる。【選択図】  図２
2006112129.tif 000002
【特許請求の範囲】
【請求項１】
壁材として使用する軽量気泡コンクリートパネルの外表面に所定の間隔をおいて略平行かつ一体的に緑化パネルを設けたことを特徴とする壁面緑化構造。
【請求項２】
前記の軽量気泡コンクリートパネル内に、該パネルの補強用鉄筋と一体的に緑化パネル取付用アンカーを埋設させて設け、その緑化パネル取付用アンカーに間隔保持部材を介して前記の緑化パネルを取付けてなる請求項１記載の壁面緑化構造。
【請求項３】
前記の緑化パネル取付用アンカーは、前記の軽量気泡コンクリートパネルを建築物の梁等に取付けるための埋込アンカーを屋外側に延長することによって、それと一体に設けてなる請求項２記載の壁面緑化構造。
【発明の詳細な説明】
【技術分野】
【０００１】
本発明は、例えばビル等の建築物の外壁面や塀などの壁面を緑化する場合などに適用する壁面緑化構造に関する。更に詳しくは、壁材として軽量気泡コンクリート（以下ＡＬＣという）パネルを用いた壁面の緑化構造に関するものである。
【背景技術】
【０００２】
近年、大都市圏では、緑被率の増大やヒートアイランド現象の抑制、さらには室内への直射日光を遮蔽して省エネ効果を図ることを目的として、ビル等の壁面、特に外壁面を緑化する工夫や技術が種々提案されている。
【０００３】
この壁面緑化を大別すると、蔦などを付着根によって壁面に付着させて登はんさせるタイプ、巻き付き型の植物を格子などの補助資材を設置して登はんさせるタイプ、屋上やベランダに植栽基盤を設けて付着根の植物を下垂させるタイプ、壁面自体に鉢状やマット状の植栽基盤を設置するタイプなどがある。
【０００４】
しかしながら、都市部で建築物の壁材として一般的に使用されるＡＬＣパネルを用いたビル等にあっては、下記に述べる理由から緑化が非常に難しいため、緑化処理等は殆ど実施されていないのが現状である。
【０００５】
例えば壁面に植栽基盤を設置する方法の１つとして、下記の特許文献１には、フレーム内に植栽基盤を収容してなる緑化パネルを、アンカーボルトで固定したブラケットによってＲＣ壁などの壁面に取付けることが提案されているが、上記のような壁面がコンクリートの場合にはアンカーボルトを打ち込んでも強度的に問題ないが、ＡＬＣパネルにアンカーボルトを打ち込むと、パネルの取付強度が低いため、緑化パネルが脱落するおそれがある。
【０００６】
また下記特許文献２には、肥料などが混合された緑化ブロックを複数積み上げ、その表面に腐葉土の層と保護ネットとを順に設け、さらにその表面に種子を混入した腐葉土の層を形成することによって緑化壁を形成することが提案されているが、上記の緑化ブロックとしてＡＬＣパネルを用いた場合には、該パネルは常時湿潤状態に置かれると経年劣化が促進されるため、長期の使用ができないという欠点があった。
【０００７】
【特許文献１】特開２００２−９５３４７号公報
【特許文献２】特開２００２−１９４８５０号公報
【発明の開示】
【発明が解決しようとする課題】
【０００８】
本発明は上記の問題点に鑑みて提案されたもので、その目的とするところは、都市部に多く用いられているＡＬＣパネルを使用した建物の壁面等に対して、緑化パネルの脱落のおそれがなく、かつＡＬＣパネルの耐震性と耐久性とを維持することが可能な、壁面緑化構造を提供することにある。
【課題を解決するための手段】
【０００９】
上記の目的を達成するために本発明による壁面緑化構造は、以下の構成としたものである。即ち、壁材として用いたＡＬＣパネルの外表面に所定の間隔をおいて略平行かつ一体的に緑化パネルを設けたことを特徴とする。具体的には、例えば上記のＡＬＣパネル内に、該パネルの補強用鉄筋と一体的に緑化パネル取付用アンカーを埋設させて設け、その緑化パネル取付用アンカーに間隔保持部材を介して前記の緑化パネルを取付ければよい。また上記の緑化パネル取付用アンカーは、前記のＡＬＣパネルを建築物の梁等に取付けるための埋込アンカーを屋外側に延長することによって、それと一体に設けることもできる。
【発明の効果】
【００１０】
本発明による壁面緑化構造は、上記のように壁材として使用するＡＬＣパネルの外表面に所定の間隔をおいて略平行かつ一体的に緑化パネルを設けたから、都市部に多いＡＬＣパネルを壁材として使用した建物等にあっても容易に緑化することができる。そのため、都市部の緑化推進に大きく貢献することが可能となる。また上記のようにＡＬＣパネルの外表面に緑化パネルを所定の間隔をおいて設けたことによって、緑化パネルが潅水による湿潤状態にあってもＡＬＣパネルは殆ど湿潤することがなく、経年劣化を良好に抑制することができる。
【００１１】
またＡＬＣパネル内に、該パネルの補強用鉄筋と一体的に緑化パネル取付用アンカーを埋設させて設け、その緑化パネル取付用アンカーに間隔保持部材を介して前記の緑化パネルを取付ければ、緑化パネルの取付強度が高く、脱落のおそれを可及的に低減することが可能となる。さらにＡＬＣパネルを建築物の梁等に取付けるための埋込アンカーを屋外側に延長することによって上記の緑化パネル取付用アンカーを設けるようにすれば、例えばＡＬＣパネルをロッキング構法等の耐震構法で取付けた場合にも地震発生時に緑化パネルはＡＬＣパネルとともに、該ＡＬＣパネル取付用の埋込アンカーを支点として揺動するため、ＡＬＣパネルの動きを阻害することがなく、耐震性能を良好に維持することができる等の効果がある。
【発明を実施するための最良の形態】
【００１２】
以下、本発明を図に示す実施形態に基づいて具体的に説明する。図１は本発明による壁面緑化構造の一実施形態を示す斜視図、図２はその拡大縦断面図である。
【００１３】
本実施形態はビル等の建築物の外面に縦横に並べて取付けられる外壁用のＡＬＣパネル１に適用したもので、その各ＡＬＣパネル１内には補強用鉄筋２と一体的に設けたＡＬＣパネル取付用の筒状の埋込アンカー３が埋設され、その筒状アンカー３の内孔に形成した雌ねじ（不図示）を利用して上記各ＡＬＣパネル１を建築物の横梁等の躯体に取付ける構成であり、図の場合はＨ型鋼よりなる横梁４に溶接等で固着した定規アングル５に上記ＡＬＣパネル１が専用金物で取付けられている。
【００１４】
即ち、上記各ＡＬＣパネルは、定規アングル５に溶接等で固着したウワバプレート６の水平部６ａに載置され、その各ＡＬＣパネル１の下部に埋設した埋込アンカー３に取付ボルト７で取付けたイナズマプレート８の下端部を定規アングル５に引っ掛けて溶接等で固定すると共に、上記各ＡＬＣパネル１の上部に埋設した埋込アンカー３に、ウワバプレート６の下部に貫通させて設けた支持ボルト９をねじ込むことによって上記各ＡＬＣパネル１を上記支持ボルト９を支点に揺動可能に取付けられている。
【００１５】
以上の構成は従来公知のものとほぼ同様であり、本発明は上記のＡＬＣパネル１の外表面に所定の間隔をおいて略平行かつ一体的に緑化パネルを設けたもので、特に図の場合は  各ＡＬＣパネルに設けた前記の埋込アンカー３を屋外側（図２で左側）に延長することによって、その埋込アンカー３と一体に緑化パネル取付用アンカー３Ａを設け、そのアンカー３Ａに断面コ字形の間隔保持部材１５を介して緑化パネル１０を取付けたものである。
【００１６】
すなわち、上記埋込アンカー３は、通常は図３に示すように、そのアンカー３を構成する筒体の屋内側（図で右側）の端部を補強用鉄筋２よりも外側のＡＬＣパネル１の表面もしくはその近傍まで突出させて設けるのに対し、屋外側（図で左側）の端部は補強用鉄筋２と同等もしくはそれよりも内側までしか設けないのが一般的であるが、本実施形態においては図２に示すように屋外側の端部もＡＬＣパネル１の表面もしくはその近傍まで延長して突出させ、その延長突出させた筒体の端部を緑化パネル取付用アンカー３Ａに兼用したものである。
【００１７】
そのアンカー３Ａを構成する上記筒体端部の内孔には前記アンカー３の雌ねじと連続もしくはそれとは不連続に雌ねじ（不図示）が形成され、その雌ねじを利用して上記ＡＬＣパネル１に前記コ字形部材１５の一端をボルト１６で取付け、その間隔保持部材１５の他端に緑化パネル１０をボルト１７とナット１８とで取付けたものである。その緑化パネル１０は、本実施形態においては、緑化基盤１１と培土層１２および植栽１３とで１つのユニット状に構成したもので、そのパネル面の大きさ形状は適宜であるが、緑化パネル全体もしくは緑化基盤１１だけでもＡＬＣパネル１と同一の大きさ形状にすると、予め緑化パネル１０をＡＬＣパネル１に組付けてから躯体に取付けることもできる。
【００１８】
また上記実施形態は、ＡＬＣパネル取付用の埋込アンカー３を屋外側に延長することによって緑化パネル取付用アンカー３Ａを設けたが、そのアンカー３Ａを上記埋込アンカー３とは別に設けてもよく、その場合も緑化パネル取付用アンカー３Ａは好ましくはＡＬＣパネル１の補強用鉄筋２に一体的に設けるのが望ましい。
【００１９】
上記のように本発明による壁面緑化構造は、ＡＬＣパネル１の外表面に所定の間隔をおいて略平行かつ一体的に緑化パネル１０を設けたから、ＡＬＣパネル１を壁材として用いた建築物等にあっても容易に緑化することができる。特にＡＬＣパネル１の外表面に緑化パネル１０を所定の間隔をおいて設けたことによって、緑化パネル１０が潅水による湿潤状態にあってもＡＬＣパネル１は殆ど湿潤することがなく、経年劣化を良好に抑制することができる。
【００２０】
また上記実施形態のようにＡＬＣパネル１を建築物の梁等に取付けるための埋込アンカー３を屋外側に延長することによって上記の緑化パネル取付用アンカー３Ａを設けるか、或いは前記のように緑化パネル取付用アンカー３ＡをＡＬＣパネル取付用の埋込アンカー３とは別に且つ補強用鉄筋２に一体的に設ければ、緑化パネルを高い強度でＡＬＣパネル１に取付けることが可能となり、脱落のおそれを可及的に低減することができる。また緑化パネルの少なくとも緑化基盤１１をＡＬＣパネル１と同一の大きさ形状にすれば、例えばＡＬＣパネル１をロッキング構法等の耐震構法で取付けた場合にも地震発生時に緑化パネル１０は、ＡＬＣパネル１と共に上記埋込アンカー３を支点として揺動するため、ＡＬＣパネル１の動きを阻害することはなく、耐震性能を良好に維持することができる。
【００２１】
なお上記実施形態は、ＡＬＣパネル１に緑化パネル１０を所定の間隔おいて取付けるために断面コ字形の間隔保持部材１５を用いたが、その間隔保持部材１５の断面形状や取付方法等は適宜であり、少なくともＡＬＣパネル１に緑化パネル１０を所定の間隔をおいて取付け支持し得るものであればよい。
【００２２】
また上記実施形態の緑化パネル１０は、緑化基盤１１と培土層１２および植栽１３とで１つのユニットを構成したものであるが、必ずしもこれに限るものではなく、少なくとも植物を栽培し得るものであれば構成は適宜である。例えば、蔦などを付着させて登はんや下垂させるために薄型コンクリート板を用いたり、或いは巻き付き型の植物を登はんや下垂させるために金網などを用いることも可能である。
【００２３】
さらに上記実施形態はビル等の建築物に適用した例を示したが、壁材としてＡＬＣパネルを用いたものであれば、木造建築やプレハブ等であってもよく、また建物に限らず、塀や橋梁その他の構築物にも適用できる。
【産業上の利用可能性】
【００２４】
以上のように、本発明による壁面緑化構造は、ＡＬＣパネルの外表面に所定の間隔をおいて略平行かつ一体的に緑化パネルを設けるだけの極めて簡単な構成によってＡＬＣパネルを壁材として使用した建物等にあっても容易に緑化することが可能となるもので、特にＡＬＣパネルを壁材として使用した建物の多い都市部の緑化推進や緑被率の増大およびヒートアイランド現象の抑制などに大きく貢献することが可能となる。
【図面の簡単な説明】
【００２５】
【図１】本発明による壁面緑化構造の一実施形態を示す斜視図。
【図２】上記壁面緑化構造の拡大縦断面図。
【図３】従来のＡＬＣパネルの取付構造を示す縦断面図。
【符号の説明】
【００２６】
１  ＡＬＣパネル
２  補強用鉄筋
３  埋込アンカー
４  横梁
５  定規アングル
６  ウワバプレート
７  取付ボルト
８  イナズマプレート
９  支持ボルト
１０  緑化パネル
１１  緑化基盤
１２  培土層
１３  植栽
１５  間隔保持部材
【図１】
2006112129.tif 000003
【図２】
2006112129.tif 000004
【図３】
2006112129.tif 000005